(57)【要約】【課題】回路基板周りの自然対流による放熱性を高めることができる表示装置を提供する。【解決手段】前側に表示面を有する表示部と、該表示部の後側に取付けてある回路基板と、表示部の後側を被覆するキャビネット４とを備え、回路基板より下側に吸気口４３を、上側に排気口４５を夫々設け、回路基板の下部より斜め下側に第２吸気口４４を設けてあり、第２吸気口４４に吸気された空気を回路基板側へ導風する導風壁５を設け、回路基板周りの空気量を増やすことにより回路基板周りの温度上昇を抑制することができるようにした。【選択図】図２
2009014764.tif 000002
【特許請求の範囲】
【請求項１】
前側に表示面を有する表示部と、該表示部の後側に取付けてある回路基板と、前記表示部の後側を被覆するキャビネットとを備え、前記回路基板より下側に吸気口を、上側に排気口を夫々設けてある表示装置において、前記回路基板の下部の斜め下側に第２吸気口を設けてあり、該第２吸気口に吸気された空気を前記回路基板側へ導風する導風壁を備えることを特徴とする表示装置。
【請求項２】
前記回路基板を支持してあり、且つ前記表示部の後側の面に取付けてある基板支持板を備え、該基板支持板と一体に前記導風壁を設けてある請求項１記載の表示装置。
【請求項３】
前記導風壁より上側で、且つ前記回路基板の側方位置に、該回路基板周りの空気を上方へ導風する第２導風壁を有する請求項１又は２記載の表示装置。
【請求項４】
前記キャビネットは、前記第２導風壁と対向する位置に、前記回路基板周りの空気を外部へ排気する第２排気口を設けてある請求項３記載の表示装置。
【請求項５】
前側に表示面を有する表示部と、該表示部の後側に取付けてある回路基板と、前記表示部の後側を被覆するキャビネットとを備え、前記回路基板より下側に吸気口を、上側に排気口を夫々設けてある表示装置において、前記表示部の後側には前記回路基板より下側に第２回路基板を配してあり、前記キャビネットは、前記第２回路基板より下側で開口する第３吸気口、及び前記吸気口より下側で、且つ前記第２回路基板より上側で開口する第３排気口を設けてあり、前記第２回路基板側の空気を前記第３排気口へ導風する第３導風壁を備えることを特徴とする表示装置。
【請求項６】
前記回路基板及び第２回路基板を支持してあり、且つ前記表示部の後側の面に取付けてある基板支持板を備え、該基板支持板と一体に前記第３導風壁を設けてある請求項５記載の表示装置。
【請求項７】
前記第３導風壁は前記基板支持板の前記回路基板と重なり合う箇所を折曲げることにより設けてある請求項６記載の表示装置。
【発明の詳細な説明】
【技術分野】
【０００１】
本発明は液晶表示装置、プラズマ表示装置、ＳＥＤディスプレィ、ＥＬディスプレィ等の表示装置に関する。
【背景技術】
【０００２】
テレビジョン等の薄型の表示装置は、映像を表示する表示面を前側に有する表示部と、該表示部の後側に取付けてある回路基板と、下側に吸気孔及び上側に排気孔を有し、前記表示部の後側を被覆するキャビネットと、該キャビネット内の上側に配されたファンとを備え、該ファンの駆動により前記吸気孔からキャビネット内へ吸気した空気を前記排気孔から外部へ排気し、キャビネット内の温度上昇を抑制するように構成されている（例えば特許文献１参照）。
【特許文献１】特開２００６−５８６７９号公報
【発明の開示】
【発明が解決しようとする課題】
【０００３】
ところが、放熱用のファンを備える表示装置にあっては、ファンが排気する際に騒音が発生し、この騒音が排気口から外部へ洩れるし、また、ファンの配置により表示装置の前後厚さを薄くするのが制限されるため、ファンを用いることなく自然対流で放熱するのが好ましい。
【０００４】
しかし、薄型液晶テレビジョン、薄型プラズマテレビジョンは年々大型化され、且つ前後厚さが薄くなっており、薄型液晶テレビジョンにあっては表示部の後側の面に取付けられる回路基板が大型となり、回路基板に実装されている電子部品が発生する熱が増大することになるが、回路基板とキャビネットの後面との間の間隔が比較的狭くなっているため、回路基板周りの空気流通抵抗が大きく、回路基板が発生する熱を放熱するための空気の流通が十分でなくなり、回路基板周りの空気が高温になり、回路基板の熱暴走、部品破壊の起因となり、改善策が要望されていた。
【０００５】
本発明は表示部の後側の取付けられる回路基板は、表示部の後側の面の全面でなく、回路基板が取付けられない箇所があり、また、表示部の大型化よりも回路基板の大型化の比率が小さく、回路基板の側方に非回路基板部分があり、この非回路基板箇所の空気は、回路基板周りの空気に比べて高温にならないことに着目し、この非回路基板箇所の下方、換言すると回路基板の斜め下方に吸気口を設け、該吸気口から外気を導入し、この導入した空気を回路基板側に導風することにより、回路基板周りの風量を増加し、回路基板周りの放熱性を高めることができるようにしたものである。
【０００６】
即ち、本発明の主たる目的は回路基板周りの自然対流による放熱性を高めることができる表示装置を提供することにある。
【課題を解決するための手段】
【０００７】
本発明に係る表示装置は、前側に表示面を有する表示部と、該表示部の後側に取付けてある回路基板と、前記表示部の後側を被覆するキャビネットとを備え、前記回路基板より下側に吸気口を、上側に排気口を夫々設けてある表示装置において、前記回路基板の下部の斜め下側に第２吸気口を設けてあり、該第２吸気口に吸気された空気を前記回路基板側へ導風する導風壁を備えることを特徴とする。
【０００８】
この発明にあっては、回路基板より下側の吸気口、及び回路基板の下部の斜め下側の第２吸気口から吸気することができ、吸気口から吸気した空気を、基板周りの通気路を自然対流で排気口へと上昇させることができ、さらに、第２吸気口から吸気した空気を、導風壁により回路基板の周りへ導風することができるため、回路基板周りの空気量を増やすことができ、回路基板周りの温度上昇を抑制することができる。
【０００９】
また、本発明に係る表示装置は、前記回路基板を支持してあり、且つ前記表示部の後側の面に取付けてある基板支持板を備え、該基板支持板と一体に前記導風壁を設けてあることを特徴とする。
この発明にあっては、基板支持板に複数の回路基板を取付けて基板ユニットにすることが可能であり、しかも、導風壁を設けることによる部品点数の増加をなくし、導風壁の取付作業も必要でなく、必ず適正位置に配することができ、導風壁を設けたことによるコスト増しを抑制することができる。
【００１０】
また、本発明に係る表示装置は、前記導風壁より上側で、且つ前記回路基板の側方位置に、該回路基板周りの空気を上方へ導風する第２導風壁を有することを特徴とする。
この発明にあっては、導風壁により回路基板周りの空気量が増した空気が回路基板周りから側方への拡散を抑制し、上方への上昇速度を早めることができ、回路基板周りの放熱性を高めることができる。
【００１１】
また、本発明に係る表示装置は、前記キャビネットは、前記第２導風壁と対向する位置に、前記回路基板周りの空気を外部へ排気する第２排気口を設けてあることを特徴とする。
この発明にあっては、第２導風壁が導風する空気の一部を回路基板周りの第２排気口から外部へ排気することができるため、回路基板周りの温度上昇をより一層抑制することができる。
【００１２】
また、本発明に係る表示装置は、前側に表示面を有する表示部と、該表示部の後側に取付けてある回路基板と、前記表示部の後側を被覆するキャビネットとを備え、前記回路基板より下側に吸気口を、上側に排気口を夫々設けてある表示装置において、前記表示部の後側には前記回路基板より下側に第２回路基板を配してあり、前記キャビネットは、前記第２回路基板より下側で開口する第３吸気口、及び前記吸気口より下側で、且つ前記第２回路基板より上側で開口する第３排気口を設けてあり、前記第２回路基板側の空気を前記第３排気口へ導風する第３導風壁を備えることを特徴とする。
この発明にあっては、比較的高い熱が発生し易い第２回路基板を、第３導風壁により他の回路基板と区画し、第３吸気口から第２回路基板周りに吸気した空気を第３導風壁により自然対流で導風して第３排出口から外部に排気することができるため、第２回路基板が発生した熱が他の回路基板側へ拡散するのを抑制することができる。従って、他の回路基板周りの温度上昇をより一層抑制することができる。
【００１３】
また、本発明に係る表示装置は、前記回路基板及び第２回路基板を支持してあり、且つ前記表示部の後側の面に取付けてある基板支持板を備え、該基板支持板と一体に前記第３導風壁を設けてあることを特徴とする。
この発明にあっては、第３導風壁を設けることによる部品点数の増加をなくし、導風壁の取付作業も必要でなく、必ず適正位置に配することができ、導風壁を設けたことによるコスト増しを抑制することができる。
【００１４】
また、本発明に係る表示装置は、前記第３導風壁は前記基板支持板の前記回路基板と重なり合う箇所を折曲げることにより設けてあることを特徴とする。
この発明にあっては、基板支持板を大型にすることなく第３導風壁を設けることが可能であり、第３導風壁を設けることによる基板支持板のコスト、ひいては光源装置のコストを低減できる。
【発明の効果】
【００１５】
本発明によれば、回路基板より下側の吸気口から吸気した空気に、回路基板の下部より斜め下側の第２吸気口から吸気した空気を合流させて、回路基板周りの空気量を増やすことができ、回路基板周りの温度上昇を抑制することができる。
【発明を実施するための最良の形態】
【００１６】
以下本発明をその実施の形態を示す図面に基づいて詳述する。
実施の形態１
図１は本発明に係る表示装置の構成を示す模式的縦断側面図、図２はキャビネットを取外した状態の模式的背面図、図３はキャビネットを取外した状態の後側の模式的斜視図、図４はキャビネットを取外した状態の後側の斜視図、図５はキャビネットを取外した状態の後側の要部の拡大斜視図である。
【００１７】
図示した表示装置は、前側にパネル部１１を有し、後側に該パネル部１１へ光を照射するバックライト部１２を有し、略直方体をなす表示部１と、複数の回路基板２、及び該回路基板２を取付けてある基板支持板３を有し、表示部１の後側の面１ａに取付けられている基板モジュールＡと、表示部１の周縁部及び後側を被覆するキャビネット４とを備える薄型液晶テレビジョンである。
【００１８】
パネル部１１は、前側に表示面を有し略直方体をなすパネル１１ａ、及び該パネル１１ａの後側に配置された拡散板等の光学シート１１ｂを備える。バックライト部１２は、前記光学シート１１ｂの後側に上下に並置され、該光学シート１１ｂ側へ光を照射する複数本のランプ１２ａと、該ランプ１２ａを収容支持し、箱形をなすシャーシ１２ｂとを備える。前記ランプ１２ａは両端部に電極を有する冷陰極管であり、夫々のランプ１２ａの両端部の電極にインバータ回路基板１３，１３が接続され、パルス幅変調信号により明るさが制御されるように構成されている。
【００１９】
シャーシ１２ｂは略直方体をなし、金属板を成形してなる枠部１２ｃと、該枠部１２ｃの後側端を閉塞し、金属板を成形してなる蓋板部１２ｄとを有し、該蓋板部１２ｄが表示部１の後側の面１ａになっており、該後側の面１ａの両側部には、バックライト部１２を駆動するインバータ回路基板１３，１３がビス等の雄螺子により取付けられている。
【００２０】
基板モジュールＡは、パネル部１１の駆動及び制御を行う制御回路基板２１と、パネル部１１に表示する映像を処理させる処理回路基板２２と、処理回路基板２２に電圧を供給する電源回路基板２３と、外部機器との間でケーブル等の導線が接続／切離される複数の端子を実装してある端子回路基板２４と、制御回路基板２１、処理回路基板２２、電源回路基板２３及び端子回路基板２４を一面に並べて取付けてある基板支持板３とを備える。
【００２１】
制御回路基板２１、処理回路基板２２及び電源回路基板２３の夫々の実装面にはダイオード等の複数の電子部品が実装されている。
【００２２】
図６は基板支持板３の構成を示す斜視図である。基板支持板３は後側の面１ａと対向し、制御回路基板２１、処理回路基板２２、電源回路基板２３及び端子回路基板２４が一面に取付けられる略長方形をなす金属板からなり、周縁部の複数箇所がビス等の雄螺子で後側の面１ａに取付けられることにより、制御回路基板２１及び電源回路基板２３が後側の面１ａに沿って上下に並置され、処理回路基板２２、電源回路基板６及び端子回路基板２４が後側の面１ａに沿って横方向に並置されている。
【００２３】
基板支持板３の電源回路基板２３の下部の斜め下側には後記する第２吸気口から吸気した空気を回路基板２に向けて導風する板状の導風壁５を折曲げにより一体に設けてある。
【００２４】
導風壁５は電源回路基板２３と端子回路基板２４との間の基板支持板３の一部を上下に傾斜するように後方（キャビネット側）へ切起こすことにより、下方から吸気した空気を斜め上方へ導風することができるように構成されている。
【００２５】
キャビネット４は、図１に示すように表示部１の周縁部を被覆する枠部４１と、深皿形をなし、表示部１の後側を被覆する蓋板部４２とを有しており、枠部４１及び蓋板部４２がシャーシ１２ｂの周縁部に複数のビス等の雄螺子により取付けられている。
【００２６】
蓋板部４２の上下方向中間で、回路基板２（電源回路基板２３）より下側に外部の空気をキャビネット４内に吸気する吸気口４３を設けてあり、電源回路基板２３の斜め下方で、且つ導風壁５より下側に外部の空気をキャビネット４内に吸気する第２吸気口４４を設けてあり、蓋板部４２の上部で回路基板２（制御回路基板２１）の上側に、キャビネット４内の空気を自然循環で外部へ排気する排気口４５を設けてある。
【００２７】
以上のように構成された薄型の表示装置は、図４に示すように後側の面１ａに二つのインバータ回路基板１３，１３が取付けられている表示部１と、基板モジュールＡとが各別に組立てられ、表示部１の後側の面１ａに基板モジュールＡが取付けられた後、キャビネット４が表示部１に取付けられる。基板モジュールＡの制御回路基板２１、処理回路基板２２、電源回路基板２３及び端子回路基板２４は後側の面１ａに沿って基板支持板３に並置されており、基板モジュールＡとキャビネット４との間に通気路を確保してある。
【００２８】
キャビネット４内は、回路基板２（電源回路基板２３）より下側に設けられている吸気口４３と、電源回路基板２３の斜め下側に設けられている第２吸気口４４からキャビネット４内に空気が吸気され、吸気口４３から吸気された空気は電源回路基板２３及び制御回路基板２１周りを上昇し、第２吸気口４４から吸気された空気は導風壁５により電源回路基板２３側に向けて斜め上方へ導風され、吸気口４３から吸気されている空気と電源回路基板２３の周りで合流し、空気量が増加して排気口４５へと上昇する。従って、電源回路基板２３及び制御回路基板２１周りの放熱性を高めることができ、キャビネット４内の温度上昇を抑制することができる。
また、シミュレーション上、実施例のように導風壁が設置され、導風壁の長さを１０ｃｍ程度にすることによって、導風壁の斜め上部の回路基板の温度を１．５度低下させることができることが検証されている。
【００２９】
実施の形態２
図７は表示装置の他の構成を示す模式的背面図である。この表示装置は導風壁５より上側で、且つ回路基板２（制御回路基板２１及び電源回路基板２２）の側方位置に、該制御回路基板２１周りの空気が側方へ拡散するのを防ぎ、制御回路基板２１周りの空気を上方へ導風する板状の第２導風壁６を設けたものである。
【００３０】
第２導風壁６は基板支持板３の一部を後方へ切起こすことにより一体に形成され、基板支持板３の側縁に沿って上下に配されている。
【００３１】
この表示装置にあっては、導風壁５により回路基板２周りの空気量が増した空気が回路基板２周りから側方へ拡散するのを抑制することができるため、排気口４５への上昇速度を早めることができ、回路基板２周りの放熱性を高めることができる。
【００３２】
また、図示していないが、キャビネット４の第２導風壁６と対向する位置に、回路基板２（制御回路基板２１）周りの空気を外部へ排気する第２排気口を設けてある。この構成では、第２導風壁６が導風する空気の一部を回路基板２周りの第２排気口から外部へ排気することができるため、回路基板２周りの温度上昇をより一層抑制することができる。
【００３３】
実施の形態３
図８は表示装置の他の構成を示す模式的縦断側面図、図９はキャビネット４を取外した状態の模式的背面図である。この表示装置は、基板モジュールＡの制御回路基板２１を電源回路基板２３の下側に並べて取付け、キャビネット４内の下部に制御回路基板２１を配し、キャビネット４の下部で、制御回路基板２１より下側に外部の空気をキャビネット４内に吸気する第３吸気口４６を設け、制御回路基板２１より上側で、第２導風壁５及び電源回路基板２３より下側に制御回路基板２１周りの空気をキャビネット４の外部へ排気する第３排気口４７を設け、基板支持板３の電源回路基板２３より下側で、制御回路基板２１より上側に、第３吸気口４６からキャビネット４内に吸気した空気を第３排気口４７へ導風する第３導風壁７を折曲げにより一体に設けたものである。尚、制御回路基板２１が第２回路基板を構成している。
【００３４】
キャビネット４内は第３導風壁７により上下に区画され、上側に処理回路基板２２、電源回路基板２３及び端子回路基板２４が配され、下側に制御回路基板２１が配されている。
【００３５】
第３導風壁７は図８に示すように基板支持板３の電源回路基板２３と重なり合う箇所を後方へ切起こすことにより一体に形成され、基板支持板３の下縁に沿って横方向に配されており、キャビネット４内を上下に区画する隔壁を兼ねている。
【００３６】
この表示装置にあっては、キャビネット４内の下部は、制御回路基板２１より下側に設けられている第３吸気口４６からキャビネット４内に空気が吸気され、吸気された空気は制御回路基板２１周りを上昇し、第３導風壁７により後方の第３排気口４７へ導風され、第３排気口４７から外部へ排気される。従って、制御回路基板２１周りの放熱性を高めることができるとともに、制御回路基板２１が発生した熱が処理回路基板２２、電源回路基板２３及び端子回路基板２４側へ拡散するのを防ぐことができ、キャビネット４内の温度上昇をより一対層効果的に抑制することができる。尚、実施の形態３は、実施の形態１及び実施の形態１の構成を備える表示装置としてもよい。
【００３７】
以上説明した実施の形態では基板支持板３に制御回路基板２１、処理回路基板２２、電源回路基板２３及び端子回路基板２４等の複数の回路基板２を装着してある構成としたが、その他、回路基板２は一つであってもよい。
【００３８】
また、制御回路基板２１、処理回路基板２２、電源回路基板２３及び端子回路基板２４等の回路基板２を取付けてある基板支持板３を備える構成としたが、その他、基板支持板３をなくし、回路基板２を後側の面１ａに取付ける構成としてもよい。この場合、例えば回路基板２の周縁部から実装面へ立上がる立上部を設け、該立上部を後側の面１ａに取付ける構成とする。
【００３９】
また、以上説明した実施の形態では基板支持板３に導風壁５、第２導風壁６、第３導風壁７を一体に設けたが、その他、導風壁５、第２導風壁６、第３導風壁７はキャビネット４の内側に一体成形等により設けてもよいし、また、基板支持板３、キャビネット４と一体に設ける他、シャーシ１２ｂの蓋板部１２ｄ、基板支持板３、キャビネット４のいずれかに取付ける構成としてもよい。また、基板支持板３又は蓋板部１２ｄとキャビネット４との両方に例えば突合せ状に設ける構成としてもよい。
【００４０】
また、以上説明した実施の形態では基板支持板３の一側に導風壁５、第２導風壁６を設けたが、その他、導風壁５、第２導風壁６は基板支持板３の両側に設ける構成としてもよい。
【００４１】
また、本発明に係る表示装置は液晶テレビジョン等の液晶表示装置である他、プラズマ表示装置、ＳＥＤディスプレィ、ＥＬディスプレィ等の表示装置であってもよい。
【図面の簡単な説明】
【００４２】
【図１】本発明に係る表示装置の構成を示す模式的縦断側面図である。
【図２】本発明に係る表示装置のキャビネットを取外した状態の模式的背面図である。
【図３】本発明に係る表示装置のキャビネットを取外した状態の後側の模式的斜視図である。
【図４】本発明に係る表示装置のキャビネットを取外した状態の後側の斜視図である。
【図５】本発明に係る表示装置のキャビネットを取外した状態の後側の要部の拡大斜視図である。
【図６】本発明に係る表示装置の基板支持板の構成を示す斜視図である。
【図７】本発明に係る表示装置の他の構成を示す模式的背面図である。
【図８】本発明に係る表示装置の他の構成を示す模式的縦断側面図である。
【図９】本発明に係る表示装置の他の構成を示すキャビネットを取外した状態の模式的背面図である。
【符号の説明】
【００４３】
１    表示部
２    回路基板
２１  制御回路基板（第２回路基板）
３    基板支持板
４    キャビネット
４３  吸気口
４４  第２吸気口
４５  排気口
４６  第３吸気口
４７  第３排気口
５    導風壁
６    第２導風壁
７    第３導風壁
【図１】
2009014764.tif 000003
【図２】
2009014764.tif 000004
【図３】
2009014764.tif 000005
【図４】
2009014764.tif 000006
【図５】
2009014764.tif 000007
【図６】
2009014764.tif 000008
【図７】
2009014764.tif 000009
【図８】
2009014764.tif 000010
【図９】
2009014764.tif 000011